(57)【要約】【課題】  整体には熟練した技能が必要であり、時間や手間を要し、コストも掛かる。【解決手段】  頭部の周囲を囲むリングに、リングで囲まれる頭部の構成骨に押し当てる押し当て具をリングの内側に突出させて二以上設け、押し当て具は突出寸法を調節可能にリングに設けられ、夫々の押し当て具は突出寸法の調節により前記頭蓋骨構成骨に押し当ててそれら頭蓋骨構成骨を強制的に動かすものとした。前記リング上の押し当て具を二つずつ対称位置又は非対称の位置に設けたり、二つの半円リングを対向させて組み合わせてリングを構成し、二つの半円リングを対向方向にスライドさせてリングの内径を調節可能とすることもできる。リングを二つの半円リングの組み合わせで構成し、二つの半円リングを折り畳むこともできる。リングに取付けた押し当て具をリングの周方向に位置調節可能とすることもできる。【選択図】  図１
2007117663.tif 000002
【特許請求の範囲】
【請求項１】
頭部の周囲を囲むことのできるリングに、リングで囲まれる頭部の頭蓋骨構成骨に押し当てることのできる押し当て具がリングの内側に突出して二以上設けられ、夫々の押し当て具はリングの内側への突出寸法を調節可能にリングに設けられ、夫々の押し当て具は突出寸法の調節により前記頭蓋骨構成骨に押し当ててそれら頭蓋骨構成骨を強制的に動かすことにより頭部の歪みや捩れを矯正可能であることを特徴とする頭部矯正具。
【請求項２】
請求項１記載の頭部矯正具において、リング上の押し当て具が二つずつ対称位置又は非対称の位置に配置されたことを特徴とする頭部矯正具。
【請求項３】
請求項１又は請求項２記載の頭部矯正具において、リングが二つの半円リングの組み合わせで構成され、二つの半円リングは対向方向にスライドして内径調節可能であることを特徴とする頭部矯正具。
【請求項４】
請求項１又は請求項２記載の頭部矯正具において、リングが二つの半円リングの組み合わせで構成され、二つの半円リングは重ね合せできる方向に折り畳み可能であることを特徴とする頭部矯正具。
【請求項５】
請求項１乃至請求項４のいずれかに記載の頭部矯正具において、リングに取付けられた押し当て具がリングの周方向に位置調節可能であることを特徴とする頭部矯正具。
【発明の詳細な説明】
【技術分野】
【０００１】
本発明は顔や頭（以下両者を合わせて「頭部」と記す。）の歪みを矯正し、バランスの取れた顔や頭にするための顔や頭の矯正具（以下「頭部矯正具」と記す。）に関するものである。
【背景技術】
【０００２】
頭部の歪みや捩れは、先天的なものもあれば後天的なものもある。いずれの場合も頭蓋骨を構成する多くの骨の歪みや捩れに起因することが多い。人間の頭蓋骨は脳頭骨、顔面頭骨に大別でき、脳頭骨は前頭骨、頭頂骨、後頭骨、側頭骨、喋形骨、篩骨等で構成され、顔面頭骨は鼻骨、涙骨、下鼻甲介、鋤骨、上顎骨、口蓋骨、頬骨、下顎骨、舌骨等で構成されている。頭部の歪みや捩れを矯正するためには頭蓋骨を構成する前記各種骨（以下「頭蓋骨構成骨」と記す。）の歪みや捩れを矯正する必要がある。この矯正は、これまでは、専門家、例えば、整体師が手で構成骨を押すとか、引っ張る等して施術していた。
【発明の開示】
【発明が解決しようとする課題】
【０００３】
しかし、専門家による前記矯正には次のような課題があった。
（１）予約をしたり、通院したりしなければならず面倒であり、時間に余裕のない場合は施術を受けにくい。
（２）施術費が高い。
（３）継続して施術を受けることで効果があるが、上記理由から継続的に受けることは難しく、途中で施術を中断しがちである。中断すると途中まで進んだ矯正が元に戻ってしまい、頭部の歪みや捩れが完治しにくい。
【課題を解決するための手段】
【０００４】
本発明の頭部矯正具は、熟練した技能を必要とせず素人でも使用でき、誰でも手軽に使用できるため中断することなく継続して施術し易く、頭部の捩れや歪みを矯正して顔を小さくしたり、顔のバランスを整えたりして美容、健康の維持、増進に役立てることができるものであり、しかも、安価に行うことができるものである。
【０００５】
本件発明の頭部矯正具は、請求項１記載のように、頭部の周囲を囲むことのできるリングに、リングで囲まれる頭部の構成骨に押し当てることのできる押し当て具がリングの内側に突出して二以上設けられ、夫々の押し当て具はリングの内側への突出寸法を調節可能にリングに設けられ、夫々の押し当て具は突出寸法の調節により前記頭蓋骨構成骨に押し当ててそれら頭蓋骨構成骨を強制的に動かすことにより頭部の歪みや捩れを矯正可能とした。この場合、請求項２記載のように、前記リング上の押し当て具を二つずつ対称位置に設けることも、非対称の位置に設けることもできる。また、請求項３記載のように、二つの半円リングを対向させて組み合わせてリングを構成し、二つの半円リングを対向方向にスライドさせてリングの内径を調節できるようにすることもできる。請求項４記載のように、リングを二つの半円リングの組み合わせで構成し、二つの半円リングを重ね合せ方向に折り畳み可能とすることもできる。請求項５記載のように、リングに取付けた押し当て具をリングの周方向に位置調節可能とすることもできる。
【発明の効果】
【０００６】
本件出願の請求項１記載の頭部矯正具は次のような効果がある。
（１）リングによって頭部の周囲を囲み、リングに設けられた二以上の押し当て具を顔部又は頭部に押し当てて、頭蓋骨構成骨を強制的に動かすことにより頭部の歪みや捩れを矯正して、顔を小さくしたり顔のバランスを整えたりすることができる。
（２）頭部外周にセットするリングの高さ、向き等を変えるだけで、押し当て具を矯正所望位置にセットすることができるため、所望の頭蓋骨構成骨を確実に矯正することができる。
（３）矯正具がリング状であるため、頭部に装着しても頭部全体、特に顔の前面が覆われないため、うっとうしさがない。また、装着中にレントゲン写真撮影やＣＴスキャン撮影を行なうことができ、頭部矯正中の構成骨の様子を観察することもできる。
（４）整体についての専門的な知識や熟練技能も必要なく、誰でも手軽に使用して簡易に頭部の捩れや歪みを矯正することができる。
（５）自宅や職場に備えておけば、予約をしたり、通院したりする面倒がなく、使用者の都合のよいときに使用できるので便利である。また、矯正具を頭部外周にセットして矯正を行っている間も、日常生活をしたり睡眠をしたりすることもできるため、時間の制約を受けず、継続して使用し易い。
【０００７】
本件出願の請求項２記載の頭部矯正具は上記各効果に加えて次のような効果がある。
（１）押し当て具を二つずつ対称位置に設けた場合は、頭蓋骨構成骨を対称方向から押して動かすことができるので、頭蓋骨構成骨をバランス良く矯正することができる。
（２）押し当て具を非対称位置に設けた場合は、矯正所望の頭蓋骨構成骨に押し当ててその頭蓋骨構成骨を確実に矯正することができる。
【０００８】
本件出願の請求項３記載の頭部矯正具は上記各効果に加えて次のような効果がある。
（１）対向させた半円状のリングを対向方向にスライド可能としたので、そのスライドによりリング内径を調節することができ、一つの頭部矯正具でサイズの異なる頭に使用することができる。
（２）リング内径を調節することにより、リングを楕円形にすれば、リングを図２のように縦長にして頭部にセットして使用することもできる。
【０００９】
本件出願の請求項４記載の頭部矯正具は上記各効果に加えて次のような効果がある。
（１）二つの半円リングを重ね合せ方向に折り畳み可能としたので、そのように折り畳めばリングが半円状となって小型になるため、場所をとらず、携帯や輸送等に便利である。
【００１０】
本件出願の請求項５記載の頭部矯正具は上記各効果に加えて次のような効果がある。
（１）リングに取付けられた押し当て具をリングの周方向に位置調節可能としたので、リングの径を変えなくとも、押し当て具をリングに沿って移動させて、押し当て具を矯正所望の頭蓋骨構成骨の位置に合せることができ、頭部の大きさや形状に合った矯正を行うことができる。
【発明を実施するための最良の形態】
【００１１】
（実施形態１）
本発明の頭部矯正具の実施形態の一例を、図１を参照して説明する。図1の頭部矯正具１は、頭部の周囲を囲むリング２の内側に、リング２によって囲まれる頭部に押し当てることのできる押し当て具３を、リング２の内側に突出させて四個備えてなる。
【００１２】
前記リング２は頭部の周囲を囲むことができる大きさの楕円形にして、図２、図３のように縦向きにして頭部の前方又は後方から頭部外周にセットすることも、図４、図５のように横向きにして、頭部の上から頭部外周にセットすることもできるようにしてある。
【００１３】
四個の押し当て具３のうち、二つは図２に示すようにリング２の長手方向両頂部に対向させて配置され、他の二つはリング２の幅方向両側のやや頂部寄り位置に対向して配置されている。このように配置することにより、図２、図３に示すように頭部矯正具１を縦向きにして頭部外周にセットすると、各押し当て具３を頭頂骨１２、１３の上部及び両側部、下顎骨１５に押し当てることができ、図４、図５に示すように頭部矯正具１を横向きにして頭部外周にセットして、各押し当て具３を前頭骨１１、左右の頭頂骨１２、１３、後頭骨１４に押し当てることができるようにしてある。
【００１４】
図に示すように、リング２には螺子孔５が四個開口されている。四個の螺子孔５は、前記四個の押し当て具３に対応させて開口されており、二つは図２に示すようにリング２の長手方向両頂部に対向させて開口され、他の二つはリング２の幅方向両側のやや頂部寄り位置に対向して開口されている。各螺子孔５にはボルト４が取り付けられており、各ボルト４の外側端にツマミ９が取り付けられ、内側端に押し当て具３が取り付けられて、ツマミ９を回転させてボルト４を回転させると押し当て具３がリング２の内側へ進入し、逆回転させるとリング２の外側に後退するようにしてあり、押し当て具３のリング２内への突出寸法を調節することができる。ボルト４はツマミ９の回転を停止させるとその位置に停止する。
【００１５】
前記押し当て具３は円盤状の本体６と、本体６の内側面に取り付けられたクッション材７と、本体６の外側面に設けられたジョイント具８とを備えている。前記クッション材７は本体６より大径の円盤状にして図２〜図５に示すように前頭骨１１、頭頂骨１２、１３、後頭骨１４、下顎骨１５といった頭蓋骨構成骨に宛がうことができるようにしてある。クッション材７にはウレタン、ゴム、スポンジ等の軟質材や弾性材が使用されて、頭部への押し付け時に緩衝材として機能するようにしてある。前記ジョイント具８はボルト４の先端に３６０度いずれの方向にも揺動可能に取り付けられて、クッション材７を頭部に押し付けるとクッション材７の向きが自動的に頭部形状に沿って変って頭部にフィットし易くなるようにしてある。
【００１６】
（本発明の頭部矯正具の使用説明１）
本発明の頭部矯正具を用いて、頭部の捩れや歪みを矯正する場合について、図２、図３を参照して説明する。この使用方法は、図２、図３に示すように、頭部矯正具１を縦向きにして前方から頭部に装着して矯正を行う方法である。
（１）まず、リング２内に顔を嵌め込むようにして頭部矯正具１を縦向きにして頭部外周にセットする。
（２）ツマミ９を回転させてボルト４を回転させ、四つの押し当て具３を、リング２に囲われた頭部に向けて進入させる。
（３）頭部に向けて進入させた四個の押し当て具３は、頭頂骨１２、１３の上部及び両側部、下顎骨１５に押し当てられ、それらの頭蓋骨構成骨を上下左右から押して強制的に内側へ動かす。
（４）頭蓋骨構成骨を強制的に動かした状態でツマミ９の回転を止めて、押し当て具３の位置を固定し、頭蓋骨構成骨を強制的に動かした状態を保持して所定時間を経過させる。
（５）所定時間が経過することで、前記各頭蓋骨構成骨の組み合わせが正され、頭部の歪み、捩れが矯正される。
（６）矯正が終了したら、ツマミ９を回してボルト４を回転させ、押し当て具３をリング２の外側へ後退させて頭部への押し当てを解除し、頭部矯正具１を頭部から外す。
【００１７】
（本発明の頭部矯正具の使用説明２）
本発明の頭部矯正具を用いて、頭部の捩れや歪みを矯正する場合について、図４、図５を参照して説明する。この使用方法は、図４、図５に示すように、頭部矯正具１を横向きにして上方から頭部に装着して矯正を行う方法である。
（１）まず、リング２を上方から頭部にかぶせるようにして頭部矯正具１を横向きにして頭部外周にセットする。
（２）ツマミ９を回転させてボルト４を回転させ、四つの押し当て具３を、リング２に囲われた頭部に向けて進入させる。
（３）頭部に向けて進入させた四個の押し当て具３は、前頭骨１１、左右の頭頂骨１２、１３、後頭骨１４に押し当てられ、それらの頭蓋骨構成骨を前後左右から押して強制的に内側へ動かす。
（４）頭蓋骨構成骨を強制的に動かした状態でツマミ９の回転を止めて、押し当て具３の位置を固定し、頭蓋骨構成骨を強制的に動かした状態を保持して所定時間を経過させる。
（５）所定時間が経過することで、前記各頭蓋骨構成骨の組み合わせが正され、頭部の歪み、捩れが矯正される。
（６）矯正が終了したら、ツマミ９を回してボルト４を回転させ、押し当て具３をリング２の外側へ後退させて頭部への押し当てを解除し、頭部矯正具１を頭部から外す。
【００１８】
（実施形態２）
本発明の頭部矯正具のリングは、図６のように二つの半円状のリング２ａ、２ｂを対向させて連結したものでもよい。この場合、二つの半円状のリング２ａ、２ｂの端部を内側と外側に重ね、一方の半円状のリング２ａ又は２ｂに丸孔５ａを、他方のリング２ｂ又は２ａに長孔５ｂをあけ、その丸孔と長孔に螺子またはボルトを差込んで両リング２ａ又は２ｂを対向方向にスライド可能とすることもできる。
【００１９】
（実施形態３）
本発明の頭部矯正具のリングは、図７（ａ）のように内径の異なる二つの半円状のリング２ａ、２ｂを対向させて連結し、その二つの半円状のリング２ａ、２ｂの一方を、連結部を中心として他方側に回転させて、図７（ｂ）のように二つの半円状のリング２ａ、２ｂを内側と外側に重ねて折り畳むようにすることもできる。
【００２０】
（実施形態４）
押し当て具３に取り付けられたボルト４をリング２と着脱自在とし、リング２に螺子孔５を前記図１〜図５に示す位置以外にも多数開口しておき、各押し当て具３を任意の螺子孔５に取り付け可能として、押し当て具３を任意の取り付け位置に取り付け可能とすることもできる。
【００２１】
（実施形態５）
本発明の頭部矯正具においては、リング２に前記図１〜図５の螺子孔５に代えて長孔を開口して、各長孔に挿通されて備えられた押し当て具３のボルト４を長孔に沿ってスライドさせて、押し当て具３を所望の位置に移動可能とすることもできる。この場合、ボルト４のリング内側と外側の両側にナットを備える等して、押し当て具３を所望位置で固定できるようにする。
【００２２】
（その他の実施形態）
押し当て具３のリング内側への突出寸法の調整は、前記図１〜図５に示すボルト４及び螺子孔５による進入・後退には限られず、押し当て具３の進入、後退、位置決めといったリング内側への突出寸法の調整が可能であれば、任意の構造によって行うことができる。従って、例えば、螺子の切られていないスライド棒を押し当て具３に備え、螺子の切られていない通孔をリング２に開口し、そのスライド棒を通孔にスライド可能に挿通して押し当て具３を進入・後退させることができるようにすることもできる。この場合、スライド棒又は通孔のいずれかに、スライド棒の位置決めを行うことを可能とする係止機構を備えておき、押し当て具３を位置決め可能とする。
【００２３】
押し当て具３の数、形状、サイズ、取り付け位置等は、前記図１〜図５に示すものには限られず、任意とすることができる。従って、例えば、押し当て具３を二個、リング２の長手方向両端部にのみ取り付けること等もできる。
【００２４】
また、リング２を顔部と頭部のうちいずれか一方にのみ適合する形状、大きさ等に形成し、頭部矯正具１を顔部矯正専用又は頭部矯正専用とすることもできる。
【産業上の利用可能性】
【００２５】
本発明の頭部矯正具は、頭部の捩れや歪みの矯正のみならず、脚、腕、首、胴体等、身体の他の部分の捩れや歪みの矯正にも応用することができる。
【図面の簡単な説明】
【００２６】
【図１】本発明の頭部矯正具の実施形態の一例を示す斜視図。
【図２】図１の頭部矯正具を用いて頭部の捩れや歪みを矯正する様子の一例を示す正面説明図。
【図３】図１の頭部矯正具を用いて頭部の捩れや歪みを矯正する様子の一例を示す平面説明図。
【図４】図１の頭部矯正具を用いて頭部の捩れや歪みを矯正する様子の他の一例を示す正面説明図。
【図５】図１の顔部・頭部矯正具を用いて顔部の捩れや歪みを矯正する様子の他の一例を示す平面説明図。
【図６】本発明の頭部矯正具の実施形態の他の一例を示す斜視図。
【図７】（ａ）は、本発明の頭部矯正具の実施形態の他の一例を示す斜視図。（ｂ）は、（ａ）に示す頭部矯正具を折り畳んだ様子を示す斜視図。
【符号の説明】
【００２７】
１  頭部矯正具
２  リング
３  押し当て具
４  ボルト
５  螺子孔
６  本体
７  クッション材
８  ジョイント具
９  ツマミ
１１  前頭骨
１２、１３  頭頂骨
１４  後頭骨
１５  下顎骨
【図１】
2007117663.tif 000003
【図２】
2007117663.tif 000004
【図３】
2007117663.tif 000005
【図４】
2007117663.tif 000006
【図５】
2007117663.tif 000007
【図６】
2007117663.tif 000008
【図７】
2007117663.tif 000009